(57)【要約】      （修正有）【課題】帯状体そのものの着脱を簡単にかつ確実に行えると共に、装着状態も不意に外れずにしっかりと装着する係止機構であって、さらに、携行品保持具の多様な使用についても、故障や破損の極めて少ない頑丈な帯状体の係止機構ならびに該係止機構を備える携行品保持具を提供する。【解決手段】帯状体の係止構造は、帯状体２０の一端と帯状体２０の一端を係止する帯状体受け部を備える係止機構が、面ファスナを使用した構造であって、帯状体２０は、一端の表裏両面に雌型面ファスナ２１ａ、２１ｂを配設し、帯状体受け部は帯状体２０の一端を挟着する二片の短帯状体からなり、二片の短帯状体は雌型面ファスナ２１ａ、２１ｂを挟着する面に雄型面ファスナ３１ａ、３１ｂを配設している。【選択図】図３
0003195049.tif 000002
【実用新案登録請求の範囲】
【請求項１】
携行品保持具において、帯状体の一端と該帯状体の一端を係止する帯状体受け部を備える係止機構が、面ファスナを使用した構造であって、
前記帯状体は、前記一端の表裏両面に雌型面ファスナを配設し、他端は前記携行品保持具本体に縫着又は溶着され、
前記帯状体受け部は前記帯状体の一端を挟着する二片の短帯状体からなり、前記二片の帯状体は前記雌型面ファスナを挟着する面に雄型面ファスナを配設し、他端が前記携行品保持具本体に縫着又は溶着していることを特徴とする帯状体の係止構造。
【請求項２】
前記二片の短帯状体は一の短帯状体の中央を前記携行品保持具本体に縫着又は溶着することにより形成することを特徴とする帯状体の係止機構。
【請求項３】
前記雌型面ファスナはループ片で、前記雄型面ファスナはフック片であることを特徴とする請求項１又は２に記載の帯状体の係止構造。
【請求項４】
請求項１ないし３のいずれかに記載する係止機構を備える携行品保持具。
【考案の詳細な説明】
【技術分野】
【０００１】
本考案は、ベルト等の帯状体の端部同士を着脱自在に連結する係止機構に関する。
【背景技術】
【０００２】
ベルト等は一本の帯状体の両端を連結して使用される。ほとんどのベルトは専用の固定具、例えばバックル又は尾錠等、と一体化したものとなっており、かつ、締める強さや径は任意に調節することができるようになっている。一方、時計や携帯電話、工具、医療機器など、常時持ち歩いてすぐに使いたい物を手で持つ代わりに帯状体で身体に付けておくこともある。これらの携行品を携帯するに際し、携行品保持具の裏面に輪状に構成した帯を構成し、該輪に帯状体を差し込んで腰等に携帯する該輪状の連結具は多用されている。しかし、この携行品保持具等の帯状体への取り付け及び取り外しが煩雑であり、帯状体をはずした状態での着脱等が必要となることに対して、これを簡単にかつ確実に行えると共に、装着状態も不意に外れずにしっかりと装着する係止機構が望まれている。さらに、これらの使用状況は種々であることから、係止機構は、故障や破損の極めて少ない頑丈なものであることも要望されるものである。
【０００３】
一方、帯状体等の係止機構は提案されている。特許文献１に係る発明は、帯状体２の一方に面ファスナ４を約半分重ねて縫着又は溶着し、他方に面ファスナ３を巻きつけて縫着又は溶着し、帯状体２をふたつ折りにした帯状体通しを提案している。
【先行技術文献】
【特許文献】
【０００４】
【特許文献１】特開平１０−２７６８２８号公報
【考案の概要】
【考案が解決しようとする課題】
【０００５】
ところが、特許文献１に係る取付構造は、図４に示すように、帯状体２が符号５において一方に約半分縫着されているため、帯状体２が吊るされると、係合した面ファスナのうち外側面４ｂは引っ張られ、一方の縫着面４ａは縫着側５に固定しているため、係合した面４ａ、３、４ｂは互いに引き剥がされる力が働くこととなり、しっかりとした装着は実現できない。
【０００６】
本考案は、このような問題に鑑み、帯状体そのものの着脱を簡単にかつ確実に行えると共に、装着状態も不意に外れずにしっかりと装着する係止機構であって、さらに、携行品保持具の多様な使用についても、故障や破損の極めて少ない頑丈な係止機構を提案することを課題とする。
【課題を解決するための手段】
【０００７】
本考案に係る帯状体の係止構造は、帯状体の一端と該帯状体の一端を係止する帯状体受け部を備える係止機構が、面ファスナを使用した構造であって、帯状体は、一端の表裏両面に雌型面ファスナを配設し、帯状体受け部は帯状体の一端を挟着する二片の短帯状体からなり、二片の短帯状体は雌型面ファスナを挟着する面に雄型面ファスナを配設していることを特徴とする。二片の短帯状体は一の短帯状体の中央を前記携行品保持具本体に縫着又は溶着することにより形成してもよい。なお、雌型面ファスナをループ片、雄型面ファスナをフック片とすると好適である。さらに、本考案は、前述した係止機構を備える携行品保持具であることを特徴とする。
【考案の効果】
【０００８】
本考案に係る係止機構によれば、帯状体そのものの着脱を簡単にかつ確実に行えると共に、装着状態も不意に外れずにしっかりと装着することができる。また、携行品保持具の多様な使用についても、故障や破損の極めて少ない頑丈な構造となっている。さらに、構造が簡易で製造コストを低減できる。
【図面の簡単な説明】
【０００９】
【図１】本考案の係止機構を備える携行品保持具であって、帯状体が帯状体受け部に係止される前の状態を示す斜視図である。
【図２】図１に係る携行品保持具であって、帯状体が帯状体受け部に係止された状態を示す斜視図である。
【図３】本考案の係止機構を概略的に示す側面図である。
【図４】従来技術を示す図である。
【考案を実施するための形態】
【００１０】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１１】
実施例１を図面を参照して詳細に説明する。図１は、本考案の係止機構を備える携行品保持具であって、帯状体が帯状体受け部に係止される前の状態を示す斜視図である。図２は、図１に係る携行品保持具であって、帯状体が帯状体受け部に係止された状態を示す斜視図である。図３は、本考案の係止機構を概略的に示す側面図である。
【００１２】
まず、携行品保持具１の全体構成を説明する。図１に示すとおり、本考案の携行品保持具１は、大別すると、携行品保持具本体１０と、帯状体２０と、帯状体受け部３０とからなる。帯状体２０は、一端の両面に雌型面ファスナ２１を備える。他端は符号２２の部分で携行品保持具本体１０に縫着されている。雌型面ファスナ２１は面ファスナのループ片２１を用い、帯状体２０の先端部を挟み込むように二つ折りにし縫着するとよい。一方、帯状体受け部３０は、一枚の雄型面ファスナ、例えば面ファスナのフック片の中央部分（符号３２の部分）で携行品保持具本体１０に縫着するとよい。又は二枚の短い帯状体にフック片３１ａ、３１ｂを貼り付けてもよい。このような二枚のフック片３１ａ、３１ｂを用いて、ループ片２１を挟むようにする。すなわち、二枚の短い帯状体に、帯状体２０のループ片２１と同じ長さのフック片３１ａ、３１ｂを縫着する。なお、図１において上部のフック片３１ａの幅を下部フック片３１ｂより少し小さくしておくと、ループ片２１を挟んで帯状体２０と帯状体受け部３０を係合する際、上部フック片３１ａを少し斜めにして係合しても、ループ片２１よりはみ出ることがないので好適である。
【００１３】
図２を参照する。図２は、帯状体２０が帯状体受け部３０に係止された状態を示す斜視図である。すなわち、帯状体受け部３０の二枚のフック片３１ａ、３１ｂが、帯状体２０の一端のループ片２１をしっかり挟着している状態を示している。しっかり装着されている原理は下記に示す。
【００１４】
図３を参照する。図３は、本考案の係止機構を概略的に示す側面図である。図３（ａ）は係止前、（ｂ）は係止後を示している。図３（ｂ）に示すように、帯状体２０が吊るされると、帯状体２０に負荷される力は矢印方向、すなわち帯状体２０が帯状体受け部３０から引き離される方向に働くわけであるが、その力は帯状体受け部３０が縫着された符号３２の部分にかかり、係合した面３１ａ、２１ａ、２１ｂ、３１ｂは互いに引き剥がされる力が働かず、しっかりとした装着が実現できることが理解されるであろう。
【００１５】
以上、本考案に係る係止機構及び該係止機構を備える携行品保持具における好ましい実施形態を図示して説明してきたが、本考案の技術的範囲を逸脱することなく種々の変更が可能であることは理解されるであろう。
【産業上の利用可能性】
【００１６】
本考案に係る係止機構は、構造が簡易であるので、帯状体の他、バッグの肩掛け等広く利用することができる。また、上述した係止機構により、帯状体をズボンの帯状体ループに通した後に、帯状体通しを備える携行品保持具を取り付けたい場合、ベルトを帯状体ループから外すことなく、帯状体と帯状体受け部の着脱のみで携行品保持具を片手で容易に取り付け取外しすることができるので、片手が不自由な障害者にも容易に操作ができ、福祉用具としても広く利用することができる。
【符号の説明】
【００１７】
１  携行品保持具
１０  携行品保持具本体
２０  帯状体
２１  ２１ａ  ２１ｂ  雌型面ファスナ
３０  帯状体受け部
３１ａ  ３１ｂ  雄型面ファスナ
２２  帯状体縫着部
３２  帯状体受け部逢着部
【図１】
0003195049.tif 000003
【図２】
0003195049.tif 000004
【図３】
0003195049.tif 000005
【図４】
0003195049.tif 000006